(57)【要約】      （修正有）【課題】務歯構造において摺動する際の摩擦抵抗を低減できるファスナーヘッド組み合わせ構造及びそのスライダーを提供する。【解決手段】ファスナーヘッド組み合わせ構造は、スライダー及び引き手を含む。スライダーは、第１の摺動部１１、第２の摺動部１２及び接続部１３を含む。第２の摺動部と第１の摺動部は互いに対応して設けられ、接続部は第１の摺動部と第２の摺動部との間に接続される。第１の摺動部１１は、第１の内表面１１０１と、第１の外表面１１０２とを有する。第１の内表面上には互いに所定距離離れた複数の第１の摺動突起１１０を有する。第１の外表面上には係止フック１１２を有する。第２の摺動部１２は、第２の内表面１２０１と、第２の外表面１２０２とを有する。第２の内表面上には互いに所定距離離れた複数の第２の摺動突起１２０を有する。【選択図】図５
0003197790.tif 000002
【実用新案登録請求の範囲】
【請求項１】
摩擦抵抗を低減するためのファスナーヘッド組み合わせ構造であって、
係止フックを有する第１の摺動部と、前記第１の摺動部と互いに対応して設けられる第２の摺動部と、前記第１の摺動部と前記第２の摺動部との間に接続される接続部とを有するスライダーと、
一方の末端部が移動自在に前記係止フックと相互に組み合わされる引き手と、
を含み、
前記第１の摺動部は、第１の内表面と、前記第１の内表面と互いに対向して設けられた第１の外表面とを有し、前記第１の摺動部の前記第１の内表面上には、互いに所定距離離れた複数の第１の摺動突起を有し、前記第１の摺動部の前記係止フックは、前記第１の外表面上に設けられ、
前記第２の摺動部は、第２の内表面と、前記第２の内表面と互いに対向して設けられた第２の外表面とを有し、前記第２の摺動部の前記第２の内表面上には、互いに所定距離離れた複数の第２の摺動突起を有する、
ことを特徴とするファスナーヘッド組み合わせ構造。
【請求項２】
前記第１の摺動部の前記第１の内表面上には、２つの前記第１の摺動突起の間に位置する第１の分離突起を有し、前記第２の摺動部の前記第２の内表面上には、２つの前記第２の摺動突起の間に位置する第２の分離突起を有し、
前記第１の分離突起及び前記第２の分離突起は互いに向かい合うように設けられ、
前記第１の分離突起の高さは、各前記第１の摺動突起の高さよりも大きく、前記第２の分離突起の高さは、各前記第２の摺動突起の高さよりも大きく、
前記第２の摺動部は、それぞれ前記第２の摺動部の対向する２つの側端から前記第１の摺動部の前記第１の内表面の方向に延在される２つの側壁を有し、
各前記側壁と前記第１の摺動部の前記第１の内表面との間には間隙が形成される、
ことを特徴とする請求項１に記載のファスナーヘッド組み合わせ構造。
【請求項３】
前記スライダーは、前記第１の摺動部と、前記第２の摺動部と、２つの前記側壁との間に形成される収容空間を有し、
前記収容空間は、前記第１の分離突起、前記第２の分離突起及び前記接続部によって、第１の摺動空間及び前記第１の摺動空間に連通する第２の摺動空間に分割され、
複数の前記第１の摺動突起のうちの一部及び複数の前記第２の摺動突起のうちの一部は、前記第１の摺動空間内に位置し、複数の前記第１の摺動突起のうちの残り及び複数の前記第２の摺動突起のうちの残りは、前記第２の摺動空間内に位置する、
ことを特徴とする請求項２に記載のファスナーヘッド組み合わせ構造。
【請求項４】
摩擦抵抗を低減するためのスライダーであって、
第１の摺動部と、
前記第１の摺動部と互いに対応して設けられる第２の摺動部と、
前記第１の摺動部と前記第２の摺動部との間に接続される接続部と、
を含み、
前記第１の摺動部は、第１の内表面と、前記第１の内表面と互いに対向して設けられた第１の外表面とを有し、前記第１の摺動部の前記第１の内表面上には、互いに所定距離離れた複数の第１の摺動突起を有し、前記第１の摺動部の前記第１の外表面上には、係止フックを有し、
前記第２の摺動部は、第２の内表面と、前記第２の内表面と互いに対向して設けられた第２の外表面とを有し、前記第２の摺動部の前記第２の内表面上には、互いに所定距離離れた複数の第２の摺動突起を有する、
ことを特徴とするスライダー。
【請求項５】
前記第１の摺動部の前記第１の内表面上には、２つの前記第１の摺動突起の間に位置する第１の分離突起を有し、前記第２の摺動部の前記第２の内表面上には、２つの前記第２の摺動突起の間に位置する第２の分離突起を有し、
前記第１の分離突起及び前記第２の分離突起は互いに向かい合うように設けられ、
前記第１の分離突起の高さは、各前記第１の摺動突起の高さよりも大きく、前記第２の分離突起の高さは、各前記第２の摺動突起の高さよりも大きく、
前記第２の摺動部は、それぞれ前記第２の摺動部の対向する２つの側端から前記第１の摺動部の前記第１の内表面の方向に延在される２つの側壁を有し、
各前記側壁と前記第１の摺動部の前記第１の内表面との間には間隙が形成される、
ことを特徴とする請求項４に記載のスライダー。
【請求項６】
前記第１の摺動部と、前記第２の摺動部と、２つの前記側壁との間に形成される収容空間を更に含み、
前記収容空間は、前記第１の分離突起、前記第２の分離突起及び前記接続部によって、第１の摺動空間及び前記第１の摺動空間に連通する第２の摺動空間に分割され、
複数の前記第１の摺動突起のうちの一部及び複数の前記第２の摺動突起のうちの一部は、前記第１の摺動空間内に位置し、複数の前記第１の摺動突起のうちの残り及び複数の前記第２の摺動突起のうちの残りは、前記第２の摺動空間内に位置する、
ことを特徴とする請求項５に記載のスライダー。
【請求項７】
相互に組み合わされる第１の務歯列及び第２の務歯列を有する務歯構造上に設けられる摩擦抵抗を低減するためのファスナーヘッド組み合わせ構造であって、
係止フックを有する第１の摺動部と、前記第１の摺動部と互いに対応して設けられる第２の摺動部と、前記第１の摺動部と前記第２の摺動部との間に接続される接続部とを有するスライダーと、
一方の末端部が移動自在に前記係止フックと相互に組み合わされる引き手と、
を含み、
前記第１の摺動部は、第１の内表面と、前記第１の内表面と互いに対向して設けられた第１の外表面とを有し、前記第１の摺動部の前記第１の内表面上には、互いに所定距離離れた複数の第１の摺動突起を有し、前記第１の摺動部の前記係止フックは、前記第１の外表面上に設けられ、
前記第２の摺動部は、第２の内表面と、前記第２の内表面と互いに対向して設けられた第２の外表面とを有し、前記第２の摺動部の前記第２の内表面上には、互いに所定距離離れた複数の第２の摺動突起を有し、
前記第１の務歯列は、複数の前記第１の摺動突起に接触する第１の務歯保持部材と、前記第１の務歯保持部材上に固定されると共に複数の前記第２の摺動突起に接触する複数の第１の務歯とを含み、前記第２の務歯列は、複数の前記第１の摺動突起に接触する第２の務歯保持部材と、前記第２の務歯保持部材上に固定されると共に複数の前記第２の摺動突起に接触する複数の第２の務歯とを含む、
ことを特徴とするファスナーヘッド組み合わせ構造。
【請求項８】
前記第１の摺動部の前記第１の内表面上には、２つの前記第１の摺動突起の間に位置する第１の分離突起を有し、前記第２の摺動部の前記第２の内表面上には、２つの前記第２の摺動突起の間に位置する第２の分離突起を有し、
前記第１の分離突起及び前記第２の分離突起は互いに向かい合うように設けられ、
前記第１の分離突起の高さは、各前記第１の摺動突起の高さよりも大きく、前記第２の分離突起の高さは、各前記第２の摺動突起の高さよりも大きく、
前記第２の摺動部は、それぞれ前記第２の摺動部の対向する２つの側端から前記第１の摺動部の前記第１の内表面の方向に延在される２つの側壁を有し、
各前記側壁と前記第１の摺動部の前記第１の内表面との間には間隙が形成される、
ことを特徴とする請求項７に記載のファスナーヘッド組み合わせ構造。
【請求項９】
前記スライダーは、前記第１の摺動部と、前記第２の摺動部と、２つの前記側壁との間に形成される収容空間を有し、
前記収容空間は、前記第１の分離突起、前記第２の分離突起及び前記接続部によって、第１の摺動空間及び前記第１の摺動空間に連通する第２の摺動空間に分割され、
複数の前記第１の摺動突起のうちの一部及び複数の前記第２の摺動突起のうちの一部は、前記第１の摺動空間内に位置し、複数の前記第１の摺動突起のうちの残り及び複数の前記第２の摺動突起のうちの残りは、前記第２の摺動空間内に位置する、
ことを特徴とする請求項８に記載のファスナーヘッド組み合わせ構造。
【請求項１０】
前記第１の務歯保持部材及び前記第２の務歯保持部材は、複数の前記第１の摺動突起上に摺動可能に設けられることにより、前記第１の摺動部の前記第１の内表面から第１の所定距離離れており、
複数の前記第１の務歯及び複数の前記第２の務歯は、複数の前記第２の摺動突起上に摺動可能に設けられることにより、いずれも前記第２の摺動部の前記第２の内表面から第２の所定距離離れている、
ことを特徴とする請求項９に記載のファスナーヘッド組み合わせ構造。
【考案の詳細な説明】
【技術分野】
【０００１】
本考案は、ファスナーヘッド組み合わせ構造及びそのスライダーに関し、特に摩擦抵抗を低減するためのファスナーヘッド組み合わせ構造及びそのスライダーに関する。
【背景技術】
【０００２】
通常、服装の基本的な留め具としては、ボタンやファスナー構造が用いられる。ボタンに比べ、ファスナー構造は、より好ましい使用性と、より丈夫な構造特性とを有する。一般的に、ファスナー構造は、ファスナーヘッド及びファスナーテープを有する。ファスナーヘッドは、主としてファスナーテープと組み合わされることでファスナー構造を往復運動させる連結素子として用いられる。これにより、ファスナー構造を服飾及びその付属品に応用することは、将来的に更に普及することが見込まれている。しかしながら、従来、ファスナーヘッドとファスナーテープとの間の摩擦抵抗を低減するための構成は、これまで提供されてこなかった。従って、従来のファスナーヘッドでは、ファスナーテープにおいて長期間往復運動させると、ファスナーヘッドとファスナーテープとに深刻な損耗が生じる問題があった。そのため、本技術分野においては、構造を改良することで、如何にしてファスナーヘッドがファスナーテープにおいて往復運動する際の摩擦抵抗を低減するかが、解決の待たれる重要な課題となっている。
【考案の概要】
【考案が解決しようとする課題】
【０００３】
本考案は、スライダーが務歯構造において摺動する際の摩擦抵抗を低減するのに用いられるファスナーヘッド組み合わせ構造及びそのスライダーを提供することを課題とする。
【課題を解決するための手段】
【０００４】
本考案に係る１つの実施例において、ファスナーヘッド組み合わせ構造は、スライダー及び引き手を含む、摩擦抵抗を低減するためのファスナーヘッド組み合わせ構造である。スライダーは、第１の摺動部と、第１の摺動部と互いに対応して設けられる第２の摺動部と、第１の摺動部と第２の摺動部との間に接続される接続部とを有する。第１の摺動部は、係止フックを有する。引き手の一方の末端部は、移動自在に係止フックと相互に組み合わされる。第１の摺動部は、第１の内表面と、第１の内表面と互いに対向して設けられた第１の外表面とを有する。第１の摺動部の第１の内表面上には、互いに所定距離離れた複数の第１の摺動突起を有する。第１の摺動部の係止フックは、第１の外表面上に設けられる。第２の摺動部は、第２の内表面と、第２の内表面と互いに対向して設けられた第２の外表面とを有する。第２の摺動部の第２の内表面上には、互いに所定距離離れた複数の第２の摺動突起を有する。
【０００５】
本考案に係る他の実施例において、スライダーは、第１の摺動部、第２の摺動部及び接続部を含む、摩擦抵抗を低減するためのスライダーである。第２の摺動部と第１の摺動部とは、互いに対応して設けられる。接続部は、第１の摺動部と第２の摺動部との間に接続される。第１の摺動部は、第１の内表面と、第１の内表面と互いに対向して設けられた第１の外表面とを有する。第１の摺動部の第１の内表面上には、互いに所定距離離れた複数の第１の摺動突起を有する。第１の摺動部の第１の外表面上には、係止フックを有する。第２の摺動部は、第２の内表面と、第２の内表面と互いに対向して設けられた第２の外表面とを有する。第２の摺動部の第２の内表面上には、互いに所定距離離れた複数の第２の摺動突起を有する。
【０００６】
本考案に係る更に他の実施例において、ファスナーヘッド組み合わせ構造は、相互に組み合わされる第１の務歯列及び第２の務歯列を有する務歯構造上に設けられる摩擦抵抗を低減するためのファスナーヘッド組み合わせ構造であって、スライダー及び引き手を含む。スライダーは、第１の摺動部と、第１の摺動部と互いに対応して設けられる第２の摺動部と、第１の摺動部と第２の摺動部との間に接続される接続部とを有する。第１の摺動部は、係止フックを有する。引き手の一方の末端部は、移動自在に係止フックと相互に組み合わされる。第１の摺動部は、第１の内表面と、第１の内表面と互いに対向して設けられた第１の外表面とを有する。第１の摺動部の第１の内表面上には、互いに所定距離離れた複数の第１の摺動突起を有する。第１の摺動部の係止フックは、第１の外表面上に設けられる。第２の摺動部は、第２の内表面と、第２の内表面と互いに対向して設けられた第２の外表面とを有する。第２の摺動部の第２の内表面上には、互いに所定距離離れた複数の第２の摺動突起を有する。第１の務歯列は、複数の第１の摺動突起に接触する第１の務歯保持部材と、第１の務歯保持部材上に固定されると共に複数の第２の摺動突起に接触する複数の第１の務歯とを含み、第２の務歯列は、複数の第１の摺動突起に接触する第２の務歯保持部材と、第２の務歯保持部材上に固定されると共に複数の第２の摺動突起に接触する複数の第２の務歯とを含む。
【考案の効果】
【０００７】
第１の務歯保持部材及び第２の務歯保持部材が複数の第１の摺動突起上に摺動可能に設けられた際、第１の務歯保持部材及び第２の務歯保持部材は、第１の摺動部の第１の内表面から第１の所定距離離れている。従って、第１の務歯保持部材及び第２の務歯保持部材は、第１の摺動部の第１の内表面に直接接触することがない。これにより、第１の務歯保持部材及び第２の務歯保持部材の両者と第１の摺動部との間の摩擦抵抗を低減することができる。また、複数の第１の務歯及び複数の第２の務歯が複数の第２の摺動突起上に摺動可能に設けられた際、複数の第１の務歯及び複数の第２の務歯は、いずれも第２の摺動部の第２の内表面から第２の所定距離離れている。従って、第１の務歯保持部材及び第２の務歯保持部材は、第２の摺動部の第２の内表面に直接接触することがない。これにより、第１の務歯保持部材及び第２の務歯保持部材の両者と第２の摺動部との間の摩擦抵抗を低減することができる。従って、本考案は、ファスナーヘッド組み合わせ構造が務歯構造上において摺動する際の摺動性を効果的に向上させることができる。
【図面の簡単な説明】
【０００８】
【図１】本考案に係る摩擦抵抗を低減するためのスライダーを１つの方向から見た斜視図である。
【図２】本考案に係る摩擦抵抗を低減するためのスライダーを他の方向から見た斜視図である。
【図３】図２のＡ−Ａ線の断面図である。
【図４】図２のＢ−Ｂ線の断面図である。
【図５】本考案に係る摩擦抵抗を低減するためのスライダーを務歯構造において摺動する方向で見た場合の正面図である。
【図６】本考案に係る摩擦抵抗を低減するためのスライダーを務歯構造において摺動する方向で見た場合の背面図である。
【図７】本考案に係る摩擦抵抗を低減するためのファスナーヘッド組み合わせ構造が務歯構造において摺動する状態を示す上面図である。
【考案を実施するための形態】
【０００９】
以下、特定の具体的な実施例によって本考案に係るファスナーヘッド組み合わせ構造及びそのスライダーの実施形態を説明する。当業者は、本明細書の開示内容によって本考案の利点及び効果を理解することができる。本考案は、他の異なる具体的な実施例によって実施または応用することが可能であり、本明細書の各細部についても異なる観点及び応用によって、本考案の主旨を逸脱しない範囲において様々な修正及び変更を行うことができる。また、本考案の図面は簡単な例示に過ぎず、実際の寸法を示したものではない。以下の実施形態によって、本考案の関連技術内容を更に詳細に説明するが、その内容は本考案の技術範囲を制限するものではない。
【００１０】
図１乃至図６に示すように、本考案に係るスライダー１（またはファスナーヘッドという）は、第１の摺動部１１、第２の摺動部１２及び接続部１３を含む、摩擦抵抗を低減するためのスライダーである。第１の摺動部１１と第２の摺動部１２とは互いに対応して設けられる。接続部１３は、第１の摺動部１１の一方の末端部と第２の摺動部１２の一方の末端部との間に接続される。
【００１１】
まず、図１、図２及び図３に示すように、第１の摺動部１１は、第１の内表面１１０１と、第１の内表面１１０１と互いに対向して設けられた第１の外表面１１０２とを有する。第１の摺動部１１の第１の内表面１１０１上には、互いに所定距離離れた複数の第１の摺動突起１１０を有する。第１の摺動部１１の第１の外表面１１０２上には、係止フック１１２を有する。例えば、図３に示すように、第１の摺動突起１１０は、長尺状又はその他の形状であってもよい。複数の第１の摺動突起１１０は、第１の摺動部１１の第１の内表面１１０１上に互いに平行となるように配列されてもよい。
【００１２】
また、図１、図２及び図４に示すように、第２の摺動部１２は、第２の内表面１２０１と、第２の内表面１２０１と互いに対向して設けられた第２の外表面１２０２とを有する。第２の摺動部１２の第２の内表面１２０１上には、互いに所定距離離れた複数の第２の摺動突起１２０を有する。例えば、図４に示すように、第２の摺動突起１２０は、長尺状又はその他の形状であってもよい。複数の第２の摺動突起１２０は、第２の摺動部１２の第２の内表面１２０１上に互いに平行となるように配列されてもよい。
【００１３】
第１の摺動突起１１０と第２の摺動突起１２０とは、互いに向かい合うように設けられてもよく、互いに位置をずらして設けられてもよい。本考案に係る図面においては、互いに位置をずらして設けられた形態で表現しているが、本考案はこの形態に限定されない。
【００１４】
更に言えば、図２、図３、図５及び図６に示すように、第１の摺動部１１の第１の内表面１１０１上には、２つの第１の摺動突起１１０の間に位置する第１の分離突起１１１を有し、第２の摺動部１２の第２の内表面１２０１上には、２つの第２の摺動突起１２０の間に位置する第２の分離突起１２１を有する。図５に示すように、第１の分離突起１１１と第２の分離突起１２１とは、互いに向かい合うように設けられている。第１の分離突起１１１の第１の内表面１１０１に対する高さは、各第１の摺動突起１１０の第１の内表面１１０１に対する高さよりも大きい。また、第２の分離突起１２１の第２の内表面１２０１に対する高さは、各第２の摺動突起１２０の第２の内表面１２０１に対する高さよりも大きい。また、図４及び図５に示すように、第２の摺動部１２は、それぞれ第２の摺動部１２の対向する２つの側端から第１の摺動部１１の第１の内表面１１０１の方向に延在される２つの側壁１２２を有する。各側壁１２２と第１の摺動部１１の第１の内表面１１０１との間には、間隙ｇが形成される。
【００１５】
更に言えば、図５及び図６に示すように、スライダー１は、第１の摺動部１１と、第２の摺動部１２と、２つの側壁１２２との間に形成される収容空間１００を有する。収容空間１００は、第１の分離突起１１１、第２の分離突起１２１及び接続部１３の三者によって、第１の摺動空間１００１及び第１の摺動空間１００１に連通する第２の摺動空間１００２に分割される。複数の第１の摺動突起１１０のうちの一部及び複数の第２の摺動突起１２０のうちの一部は第１の摺動空間１００１内に位置し、複数の第１の摺動突起１１０のうちの残り及び複数の第２の摺動突起１２０のうちの残りは第２の摺動空間１００２内に位置する。
【００１６】
図７に示すように、本考案に係る摩擦抵抗を低減するためのファスナーヘッド組み合わせ構造Ｚは、スライダー１及び引き手２（またはプルという）を含む。
【００１７】
まず、図５、図６及び図７に示すように、スライダー１は、第１の摺動部１１と、第１の摺動部１１と互いに対応して設けられる第２の摺動部１２と、第１の摺動部１１と第２の摺動部１２との間に接続される接続部１３を有する。第１の摺動部１１は、係止フック１１２を有する。引き手２の一方の末端部２０は、移動自在に係止フック１１２と相互に組み合わされる。第１の摺動部１１は、第１の内表面１１０１と、第１の内表面１１０１と互いに対向して設けられた第１の外表面１１０２とを有する。第１の摺動部１１の第１の内表面１１０１上には、互いに所定距離離れた複数の第１の摺動突起１１０を有する。第２の摺動部１２は、第２の内表面１２０１と、第２の内表面１２０１と互いに対向して設けられた第２の外表面１２０２とを有する。第２の摺動部１２の第２の内表面１２０１上には、互いに所定距離離れた複数の第２の摺動突起１２０を有する。
【００１８】
更に、図５、図６及び図７に示すように、ファスナーヘッド組み合わせ構造Ｚは、相互に組み合わされた第１の務歯列３１及び第２の務歯列３２を有する務歯構造３（またはファスナーテープという）上に設けられる。第１の務歯列３１は、複数の第１の摺動突起１１０に接触する第１の務歯保持部材３１０と、第１の務歯保持部材３１０上に固定されると共に複数の第２の摺動突起１２０に接触する複数の第１の務歯３１１とを含む。第２の務歯列３２は、複数の第１の摺動突起１１０に接触する第２の務歯保持部材３２０と、第２の務歯保持部材３２０上に固定されると共に複数の第２の摺動突起１２０に接触する複数の第２の務歯３２１とを含む。例えば、第１の務歯保持部材３１０及び第２の務歯保持部材３２０は、いずれもそれ自体が大きな摩擦抵抗を有する防水材料又はその他の材料であってもよいが、本考案はそれらに限定されない。
【００１９】
更に言えば、図５、図６及び図７に示すように、第１の務歯保持部材３１０及び第２の務歯保持部材３２０は、複数の第１の摺動突起１１０上に摺動可能に設けられることにより、いずれも第１の摺動部１１の第１の内表面１１０１から第１の所定距離ｄ１離れているため、第１の摺動部１１の第１の内表面１１０１に直接接触することがない。これにより、第１の務歯保持部材３１０及び第２の務歯保持部材３２０の両者と第１の摺動部１１との間の摩擦抵抗を低減することができる。また、複数の第１の務歯３１１及び複数の第２の務歯３２１は、複数の第２の摺動突起１２０上に摺動可能に設けられることにより、いずれも第２の摺動部１２の第２の内表面１２０１から第２の所定距離ｄ２離れているため、第１の務歯保持部材３１０及び第２の務歯保持部材３２０は、第２の摺動部１２の第２の内表面１２０１に直接接触することがない。これにより、第１の務歯保持部材３１０及び第２の務歯保持部材３２０の両者と第２の摺動部１２との間の摩擦抵抗を低減することができる。従って、本考案は、ファスナーヘッド組み合わせ構造Ｚが務歯構造３上において摺動する際の摺動性を効果的に向上させることができる。
【００２０】
＜実施例の奏し得る効果＞
このように、本考案は、次の通りの有益な效果を有する。即ち、第１の務歯保持部材３１０及び第２の務歯保持部材３２０が複数の第１の摺動突起１１０上に摺動可能に設けられた際、第１の務歯保持部材３１０及び第２の務歯保持部材３２０は、第１の摺動部１１の第１の内表面１１０１から第１の所定距離ｄ１離れている。従って、第１の務歯保持部材３１０及び第２の務歯保持部材３２０は、第１の摺動部１１の第１の内表面１１０１に直接接触することがない。これにより、第１の務歯保持部材３１０及び第２の務歯保持部材３２０の両者と第１の摺動部１１との間の摩擦抵抗を低減することができる。また、複数の第１の務歯３１１及び複数の第２の務歯３２１が複数の第２の摺動突起１２０上に摺動可能に設けられた際、複数の第１の務歯３１１及び複数の第２の務歯３２１は、いずれも第２の摺動部１２の第２の内表面１２０１から第２の所定距離ｄ２離れている。従って、第１の務歯保持部材３１０及び第２の務歯保持部材３２０は、第２の摺動部１２の第２の内表面１２０１に直接接触することがない。これにより、第１の務歯保持部材３１０及び第２の務歯保持部材３２０の両者と第２の摺動部１２との間の摩擦抵抗を低減することができる。従って、本考案は、ファスナーヘッド組み合わせ構造Ｚが務歯構造３上において摺動する際の摺動性を効果的に向上させることができる。
【００２１】
上記は本考案の好ましい実施例に過ぎず、本考案の範囲を限定するものではない。従って、本考案の明細書及び図面の内容を運用した等価の技術的変更はすべて本考案の範囲に含まれる。
【符号の説明】
【００２２】
Ｚ  ファスナーヘッド組み合わせ構造
１  スライダー
１００  収容空間
１００１  第１の摺動空間
１００２  第２の摺動空間
１１  第１の摺動部
１１０１  第１の内表面
１１０２  第１の外表面
１１０  第１の摺動突起
１１１  第１の分離突起
１１２  係止フック
１２  第２の摺動部
１２０１  第２の内表面
１２０２  第２の外表面
１２０  第２の摺動突起
１２１  第２の分離突起
１２２  側壁
１３  接続部
２  引き手
２０  末端部
３  務歯構造
３１  第１の務歯列
３１０  第１の務歯保持部材
３１１  第１の務歯
３２  第２の務歯列
３２０  第２の務歯保持部材
３２１  第２の務歯
ｄ１  第１の所定距離
ｄ２  第２の所定距離
ｇ  間隙
【図１】
0003197790.tif 000003
【図２】
0003197790.tif 000004
【図３】
0003197790.tif 000005
【図４】
0003197790.tif 000006
【図５】
0003197790.tif 000007
【図６】
0003197790.tif 000008
【図７】
0003197790.tif 000009